(57)【要約】【課題】生体情報を計測する生体情報計測装置を携帯電話とを任意に組み合わせ可能とし、複数種類の生体情報計測装置で１台の携帯電話を共用可能とする。【解決手段】生体情報計測装置１は血圧を計測する計測手段１１と、携帯電話２に付設された機器通信用のインタフェース２２との間で双方向通信が可能であるインタフェース１２とを備える。生体情報計測装置１での計測に関する操作に携帯電話２の操作部２４を用いる機能と生体情報計測装置１での計測に関する表示に携帯電話２の表示部２３を用いる機能とは、携帯電話２のメモリ２５にアプリケーションとして別途に設定されるプログラムにより携帯電話２に付加される。【選択図】        図１
2004147705.tif 000002
【特許請求の範囲】
【請求項１】
生体情報を計測する計測手段と、計測手段の動作を指示する操作情報および計測手段による計測結果の表示情報を移動体電話機に付設されている機器通信用のインタフェースとの間で伝送可能としたインタフェースとを備え、移動体電話機が備える操作部の操作により前記操作情報を発生させる機能および前記表示情報の内容を移動体電話機が備える表示部に表示させる機能を付与するプログラムが移動体電話機にアプリケーションとして別途に設定されることを特徴とする生体情報計測装置。
【請求項２】
前記プログラムは、前記移動体電話機とは移動体電話網を仲介して接続されるプログラムサーバから前記移動体電話機に転送されることを特徴とする請求項１記載の生体情報計測装置。
【請求項３】
前記生体情報は、血圧と脈拍と体脂肪と体重と歩数と血糖値との少なくとも１種類を含むことを特徴とする請求項１記載の生体情報計測装置。
【請求項４】
前記インタフェースは光ワイヤレス信号を送受信することを特徴とする請求項１記載の生体情報計測装置。
【請求項５】
請求項１ないし請求項４のいずれか１項に記載の生体情報計測装置と、前記移動体電話機とは移動体電話網を仲介して接続され前記プログラムを移動体電話機に転送するプログラムサーバとを含むことを特徴とする生体情報計測システム。
【請求項６】
請求項１ないし請求項４のいずれか１項に記載の生体情報計測装置と、前記移動体電話機とは移動体電話網を仲介して接続され移動体電話機が前記生体情報計測装置から取得した生体情報が転送されるウェブ上の健康管理サーバとを備え、健康管理サーバは移動体電話機から転送された生体情報を移動体電話機に対応付けて個別に蓄積する生体情報データベースを備えることを特徴とする生体情報計測システム。
【請求項７】
前記健康管理サーバは、前記生体情報データベースに蓄積された生体情報の履歴をウェブ上で閲覧可能とするウェブページを前記移動体電話機から転送された生体情報ごとに個別に設定するウェブページ作成手段と、各ウェブページの閲覧を移動体電話機に対応付けた閲覧者以外には禁止する閲覧者確認手段とを備えることを特徴とする請求項６記載の生体情報計測システム。
【請求項８】
前記ウェブページ作成手段は、前記生体情報の履歴を前記移動体電話機の前記表示部にグラフ表示するウェブページを設定することを特徴とする請求項７記載の生体情報計測システム。
【請求項９】
前記健康管理サーバは、前記生体情報データベースに蓄積された生体情報の履歴を健康管理の専門家が保有するウェブ上の専門家端末に転送するデータ転送手段を備え、前記ウェブページ作成手段は、生体情報の履歴に対して専門家端末から入力された専門家によるアドバイスを生体情報の履歴とともに前記ウェブページに呈示することを特徴とする請求項７または請求項８記載の生体情報計測システム。
【請求項１０】
請求項１ないし請求項４のいずれか１項に記載の生体情報計測装置とともに用いる前記移動体電話機とは移動体電話網を仲介して接続されたプログラムサーバから前記生体情報計測装置に適合する前記プログラムが移動体電話機に転送されるとともに移動体電話機に当該プログラムが設定された後、移動体電話機に設けた前記操作部の操作により生体情報計測装置による生体情報を計測し、さらに移動体電話機に設けた前記表示部に計測結果を表示し、移動体電話機とは移動体電話網を仲介して接続された健康管理サーバに前記計測結果を転送し、前記健康管理サーバに設けた生体情報データベースに当該生体情報を移動体電話機に対応付けて個別に蓄積することを特徴とする生体情報計測方法。
【請求項１１】
請求項１記載の生体情報計測装置とともに用いる前記移動体電話機とは移動体電話網を仲介して接続され、移動体電話機に設定する前記プログラムを移動体電話網を介して転送するプログラム転送手段を備えることを特徴とするサーバ。
【請求項１２】
請求項１記載の生体情報計測装置とともに用いる前記移動体電話機とは移動体電話網を仲介して接続され、移動体電話機が前記生体情報計測装置から取得した生体情報が転送されるとともに転送された生体情報を移動体電話機に対応付けて個別に蓄積する生体情報データベースと、生体情報データベースに蓄積された生体情報の履歴をウェブ上で閲覧可能とするウェブページを前記移動体電話機から転送された生体情報ごとに個別に設定するウェブページ作成手段と、各ウェブページの閲覧を移動体電話機に対応付けた閲覧者以外には禁止する閲覧者確認手段とを備えることを特徴とするサーバ。
【請求項１３】
請求項１記載の生体情報計測装置とともに用いる前記移動体電話機とは移動体電話網を仲介して接続され、移動体電話機に設定する前記プログラムを移動体電話網を介して転送するプログラム転送手段と、移動体電話機が前記生体情報計測装置から取得した生体情報が転送されるとともに転送された生体情報を移動体電話機に対応付けて個別に蓄積する生体情報データベースと、生体情報データベースに蓄積された生体情報の履歴をウェブ上で閲覧可能とするウェブページを前記移動体電話機から転送された生体情報ごとに個別に設定するウェブページ作成手段と、各ウェブページの閲覧を移動体電話機に対応付けた閲覧者以外には禁止する閲覧者確認手段とを備えることを特徴とするサーバ。
【発明の詳細な説明】
【０００１】
【発明の属する技術分野】
本発明は、生体情報計測装置、生体情報計測システム、生体情報計測方法、サーバに関するものである。
【０００２】
【従来の技術】
従来から、体温、血圧、脈拍、歩数のような生体情報を健康管理センサにより計測し、健康管理センサによる計測結果を携帯電話を介してホストコンピュータに転送することにより、ホストコンピュータにおいて健康管理や異常の有無の判定などを行うようにした健康管理システムが提案されている（たとえば、特許文献１参照）。
【０００３】
また、生体情報を計測する計測器と携帯電話本体とを有線または無線で接続し、携帯電話本体の操作によって計測器による生体情報の計測を開始させ、携帯電話本体の表示部で計測器の測定結果を読み取る技術も知られている（たとえば、特許文献２参照）。
【０００４】
【特許文献１】
特開２００２−１５７３３６号公報（第３頁、図１）
【特許文献２】
実用新案登録第３０６９９７８号（第７頁、図１、４、６、７）
【０００５】
【発明が解決しようとする課題】
上述した特許文献１に記載の技術では、健康管理センサによる計測結果をホストコンピュータに転送するために携帯電話が用いられており、携帯電話は健康管理センサとホストコンピュータとを中継する装置として機能している。しかしながら、特許文献１には、計測に関する操作や表示を行う機能についてはとくに示されていない。
【０００６】
一方、特許文献２には、携帯電話本体による操作で計測器を起動し、携帯電話本体のディスプレイに血圧および脈拍のデータを表示する構成が例示されている。すなわち、携帯電話本体を計測器の操作や表示に用いている。なお、血糖値や体温を測定する技術についても特許文献２に記載がある。
【０００７】
しかしながら、特許文献２に記載の技術では、計測器が携帯電話本体に付設されており、計測器と携帯電話本体とが一対一に対応しているものであるから、計測器により計測可能な生体情報の内容が異なれば携帯電話本体も異なるものを用いることが必要であり、１台の携帯電話本体を種々の生体情報の計測に共用することができず、結果的にコスト高になるという問題が生じる。言い換えると、１台の携帯電話本体で操作ないし表示が可能になる計測器は１台だけであり、携帯電話本体と計測器とは組でなければ販売することができないという問題がある。
【０００８】
本発明は上記事由に鑑みて為されたものであり、その目的は、移動体電話機と任意に組み合わせることを可能とし、また１台の移動体電話機を複数台で共用可能とした生体情報計測装置を提供することにあり、さらに生体情報計測装置を含む生体情報計測システムと、生体情報計測装置による生体情報計測方法と、生体情報計測装置の機能を拡張することができるサーバとを提供することも本発明の目的である。
【０００９】
【課題を解決するための手段】
請求項１ないし請求項４の発明は生体情報計測装置であって、請求項１の発明は、生体情報を計測する計測手段と、計測手段の動作を指示する操作情報および計測手段による計測結果の表示情報を移動体電話機に付設されている機器通信用のインタフェースとの間で伝送可能としたインタフェースとを備え、移動体電話機が備える操作部の操作により前記操作情報を発生させる機能および前記表示情報の内容を移動体電話機が備える表示部に表示させる機能を付与するプログラムが移動体電話機にアプリケーションとして別途に設定されることを特徴とする。
【００１０】
なお、プログラムをアプリケーションとして別途に設定するとは、移動体電話機の購入後に移動体電話機の電話機としての機能とは別にプログラムを組み込むことを意味し、後述するプログラムサーバからのダウンロード、移動体電話機に設けたプログラム用のメモリの差し替えなどを含む。また、パーソナルコンピュータで読み取り可能なプログラムを記録媒体に記録して配布し、移動体電話機の機器通信用インターフェースを用いてパーソナルコンピュータと接続することにより、記録媒体から移動体電話機にプログラムを転送することも可能である。
【００１１】
請求項２の発明では、請求項１の発明において、前記プログラムは、前記移動体電話機とは移動体電話網を仲介して接続されるプログラムサーバから前記移動体電話機に転送され移動体電話機に設定されることを特徴とする。
【００１２】
請求項３の発明では、請求項１の発明において、前記生体情報は、血圧と脈拍と体脂肪と体重と歩数と血糖値との少なくとも１種類を含むことを特徴とする。
【００１３】
請求項４の発明では、請求項１の発明において、前記インタフェースは光ワイヤレス信号を送受信することを特徴とする。
【００１４】
請求項５ないし請求項９の発明は生体情報計測システムであって、請求項５の発明は、請求項１ないし請求項４のいずれか１項に記載の生体情報計測装置と、前記移動体電話機とは移動体電話網を仲介して接続され前記プログラムを移動体電話機に転送するプログラムサーバとを含むことを特徴とする。
【００１５】
請求項６の発明は、請求項１ないし請求項４のいずれか１項に記載の生体情報計測装置と、前記移動体電話機とは移動体電話網を仲介して接続され移動体電話機が前記生体情報計測装置から取得した生体情報が転送されるウェブ上の健康管理サーバとを備え、健康管理サーバは移動体電話機から転送された生体情報を移動体電話機に対応付けて個別に蓄積する生体情報データベースを備えることを特徴とする。
【００１６】
請求項７の発明では、請求項６の発明において、前記健康管理サーバは、前記生体情報データベースに蓄積された生体情報の履歴をウェブ上で閲覧可能とするウェブページを前記移動体電話機から転送された生体情報ごとに個別に設定するウェブページ作成手段と、各ウェブページの閲覧を移動体電話機に対応付けた閲覧者以外には禁止する閲覧者確認手段とを備えることを特徴とする。
【００１７】
請求項８の発明では、請求項７の発明において、前記ウェブページ作成手段は、前記生体情報の履歴を前記移動体電話機の前記表示部にグラフ表示するウェブページを設定することを特徴とする。
【００１８】
請求項９の発明では、請求項７または請求項８の発明において、前記健康管理サーバは、前記生体情報データベースに蓄積された生体情報の履歴を健康管理の専門家が保有するウェブ上の専門家端末に転送するデータ転送手段を備え、前記ウェブページ作成手段は、生体情報の履歴に対して専門家端末から入力された専門家によるアドバイスを生体情報の履歴とともに前記ウェブページに呈示することを特徴とする。
【００１９】
請求項１０の発明は生体情報計測方法であって、請求項１ないし請求項４のいずれか１項に記載の生体情報計測装置とともに用いる前記移動体電話機とは移動体電話網を仲介して接続されたプログラムサーバから前記生体情報計測装置に適合する前記プログラムが移動体電話機に転送されるとともに移動体電話機に当該プログラムが設定された後、移動体電話機に設けた前記操作部の操作により生体情報計測装置による生体情報を計測し、さらに移動体電話機に設けた前記表示部に計測結果を表示し、移動体電話機とは移動体電話網を仲介して接続された健康管理サーバに前記計測結果を転送し、前記健康管理サーバに設けた生体情報データベースに当該生体情報を移動体電話機に対応付けて個別に蓄積することを特徴とする。
【００２０】
請求項１１ないし請求項１３はサーバに関するものであって、請求項１１の発明は、請求項１記載の生体情報計測装置とともに用いる前記移動体電話機とは移動体電話網を仲介して接続され、移動体電話機に設定する前記プログラムを移動体電話網を介して転送するプログラム転送手段を備えることを特徴とする。
【００２１】
請求項１２の発明は、請求項１記載の生体情報計測装置とともに用いる前記移動体電話機とは移動体電話網を仲介して接続され、移動体電話機が前記生体情報計測装置から取得した生体情報が転送されるとともに転送された生体情報を移動体電話機に対応付けて個別に蓄積する生体情報データベースと、生体情報データベースに蓄積された生体情報の履歴をウェブ上で閲覧可能とするウェブページを前記移動体電話機から転送された生体情報ごとに個別に設定するウェブページ作成手段と、各ウェブページの閲覧を移動体電話機に対応付けた閲覧者以外には禁止する閲覧者確認手段とを備えることを特徴とする。
【００２２】
請求項１３の発明は、請求項１記載の生体情報計測装置とともに用いる前記移動体電話機とは移動体電話網を仲介して接続され、移動体電話機に設定する前記プログラムを移動体電話網を介して転送するプログラム転送手段と、移動体電話機が前記生体情報計測装置から取得した生体情報が転送されるとともに転送された生体情報を移動体電話機に対応付けて個別に蓄積する生体情報データベースと、生体情報データベースに蓄積された生体情報の履歴をウェブ上で閲覧可能とするウェブページを前記移動体電話機から転送された生体情報ごとに個別に設定するウェブページ作成手段と、各ウェブページの閲覧を移動体電話機に対応付けた閲覧者以外には禁止する閲覧者確認手段とを備えることを特徴とする。
【００２３】
【発明の実施の形態】
本実施形態では、図５に示すように、生体情報として血圧を測定する生体情報計測装置１を手首に装着し、移動体電話機である携帯電話２を用いて生体情報計測装置１での計測に関する操作および表示を行う例を示す。ただし、生体情報としては、血圧のほか脈拍、体脂肪、体重、歩数、血糖値など計測可能であればどのような情報でもよく、また１台の生体情報計測装置１が単独の生体情報を計測するだけではなく、複数の生体情報を複合して計測するものであってもよい。あるいはまた、複数台の生体情報計測装置１がそれぞれ異なる生体情報を計測し、携帯電話２において各生体情報計測装置１に関して個別に操作および表示を行えるようにしてもよい。
【００２４】
携帯電話２は、図１に示すように、他機器との間で双方向通信が可能である機器通信用のインタフェース２２を備えたものを用いる。携帯電話２におけるこの種のインタフェース２２としては、他機器との間の伝送媒体を赤外線とする光ワイヤレス式と、他機器との間の伝送媒体を電気信号とする有線式とが知られており、いずれでも用いることが可能であるが、本実施形態では光ワイヤレス信号を送受するインタフェース２２を用いる。
【００２５】
本実施形態における生体情報計測装置１は、血圧を計測する計測手段１１と、携帯電話２のインタフェース２２との間で双方向通信が可能であるインタフェース１２とを有している。インタフェース１２は、携帯電話２のインタフェース２２から出力され計測手段１１の動作を指示する操作情報を受け取ることができ、また計測手段１１による計測結果の表示情報を送出してインタフェース２２に受け取らせることができる。後述するように、操作情報は携帯電話２が備える操作部２３の操作により発生し、表示情報の内容は携帯電話２が備える表示部２３に表示される。また、図示例では液晶表示器からなる表示部１３および複数個のスイッチからなる操作部１４も生体情報計測装置１に設けられている。表示部１３では計測結果を含む計測に関する表示を行い、操作部１４では電源の入切や計測の開始を含む計測に関する操作を行う。
【００２６】
計測手段１１は手首に巻き付けた形で装着されるカフ１１ａを備えるものであり、血圧値を計測するためにカフ１１ａの内部圧力を調節する圧力調節手段と、圧力調節手段を制御するとともにカフ１１ａの内部圧力の変化を検出して血圧値を求める演算制御手段とが計測手段１１に設けられている。圧力調節手段は、カフ１１ａに空気を導入する加圧ポンプ１１ｂと、カフ１１ａから空気を一定速度で排気する定排弁１１ｃと、カフ１１ａから空気を急速に排気する急排弁１１ｄとからなる。また、演算制御手段は、カフ１１ａの内部圧力を検出する圧力センサ１１ｅと、加圧ポンプ１１ｂ・定排弁１１ｃ・急排弁１１ｄの動作を制御するシーケンス制御部１１ｆと、定排弁１１ｃの作動中に圧力センサ１１ｅの出力を監視することによって血圧値を求める圧力計算部１１ｇと、圧力計算部１１ｇで求めた血圧値と圧力センサ１１ｅの出力とに基づいて最高血圧と最低血圧との到達点を判定するとともに最高血圧値と最低血圧値とを求める血圧判定部１１ｈとからなる。また、血圧判定部１１ｈでは血圧値を求めるだけではなく圧力センサ１１の出力の変化パターンに基づいて脈拍も求めることができる。ここに、計測手段１１のカフ１１ａは腕に巻き付けた形で装着するものであってもよい。
【００２７】
血圧の測定にあたっては、まず操作部１４の操作により電源を投入し、次に加圧ポンプ１１ｂを作動させる指示を与えてカフ１１ａの内部圧力を増加させる。
シーケンス制御部１１ｆはカフ１１ａの内部圧力を圧力センサ１１ｅの出力により監視しており、カフ１１ａの内部圧力が規定した所定圧力（最高血圧値よりもやや高い圧力）に達すると加圧ポンプ１１ｂの動作を停止する。次に、シーケンス制御部１１ｆは、定排弁１１ｃを開放してカフ１１ａから一定速度で排気し、圧力計算部１１ｇおよび血圧判定部１１ｈでは、排気中における圧力センサ１１ｅの出力変化を監視することによって最高血圧値と最低血圧値とを求める。つまり、カフ１１ａの排気期間はカフ１１ａの内部圧力が脈動によって変動する期間を含むから、圧力センサ１１ｅの出力における変動成分に基づいて血圧値を求めることができる。ここに、カフ１１ａの排気中に最高血圧値と最低血圧値とを求めているから、最高血圧値が最低血圧値よりも先に求められるのであって、最低血圧値を求めた後には急排弁１１ｄが開放される。求めた計測結果は表示部１３に表示される。上述のような一連の動作はシーケンス制御部１１ｆの制御下で行われる。なお、この種の構成を有した血圧測定および脈拍測定の技術は周知であるから測定原理については説明を省略する。
【００２８】
ところで、本実施形態では、携帯電話２に設けられている表示部２３および操作部２４を、生体情報計測装置１の表示部１３および操作部１４と同様の機能に用いることが可能になっている。つまり、操作部２４を操作すると血圧の測定開始（加圧ポンプ１１ｂの動作開始）を指示する操作情報がインタフェース２２から送出されてインタフェース１２を介して計測情報計測装置１に伝送され、表示部２３は生体情報計測装置１のインタフェース１２から送出された計測結果を含む表示情報をインタフェース２２で受け取ったときに表示情報の内容を表示することができる。携帯電話２は、基地局を含む移動体電話網を通して他の電話機と通話するための通話手段と、移動体電話網を通してデータ通信を行うためのデータ通信手段と、他装置との間で双方向通信を行うための上述したインタフェース２２と、液晶表示器を備えた表示部２３と、複数個のスイッチを備えた操作部２４と、携帯電話２に生体情報計測装置１に関連した機能を付与するプログラムを格納するメモリ２５とを備える。このプログラムは、携帯電話２にあらかじめ用意されている機能とは別に、携帯電話２の購入者が購入後にアプリケーションとして別途に設定することが可能なものであって、本実施形態ではプログラムサーバ３３（図２参照）からメモリ２５にダウンロードすることによって設定する例を示すが、メモリ２５の一部または全部を差し替えることによって設定してもよい。また、アプリケーションとしてのプログラムを記録した記録媒体からパーソナルコンピュータにプログラムを読み込み、パーソナルコンピュータから機器通信用のインタフェース２２を介して当該プログラムをメモリ２５に設定するようにしてもよい。
【００２９】
通話手段は、送受話のためのマイクロホン２１ａおよびスピーカ２１ｂと、変調／復調およびコード／デコードなどの機能を含む無線回路２１ｃと、基地局との間で電波を送受するアンテナ２１ｄとを備える。また、データ通信手段は、無線回路２１ｃおよびアンテナ２１ｄを通話手段と共用しており、さらに無線回路２１ｃに接続されたベースバンド回路２１ｅと、ベースバンド回路２１ｅを介して無線回路２１ｃに接続されるマイクロコンピュータ２１ｆとを備える。ベースバンド回路２１ｅは集積回路であって、マイクロコンピュータ２１ｆから出力されたデジタル信号をベースバンド信号に変換し、また無線回路２１ｃから出力されるベースバンド信号をマイクロコンピュータ２１ｆで扱うデジタル信号に変換する機能を有している。また、ベースバンド回路２１ｅはパケット化／アンパケット化や符号化／復号化の機能も有している。
【００３０】
表示部２３は表示回路２３ａを介してマイクロコンピュータ２１ｆに接続され、携帯電話２の操作や生体情報計測装置１での計測に関する文字や図形の表示が可能になっている。さらに、マイクロコンピュータ２１ｆにはインタフェース２２と操作部２４とメモリ２５とが接続され、マイクロコンピュータ２１ｆはメモリ２５に格納されたプログラムに従って動作する。つまり、携帯電話２の機能はメモリ２５に格納されるプログラムによって決定される。言い換えると、インタフェース２２と表示部２３と操作部２４との機能はメモリ２５に格納されたプログラムにより決まる。本実施形態は、携帯電話２を用いて生体情報計測装置１での計測に関する操作および表示を可能とするものであって、携帯電話２のメモリ２５に適宜のプログラムを設定することにより、操作部２４の操作で生体情報計測装置１による生体情報の計測を開始させることができ、また表示部２３には生体情報計測装置１で計測された血圧値（最高血圧値および最低血圧値）を表示させることができるのである。この構成によって、生体情報計測装置１を腕や手首に装着した状態で生体情報計測装置１に設けた表示部１３が見にくくまた操作部１４が操作しにくい場合であっても、携帯電話２の表示部２３および操作部２４を表示部１３および操作部１４に代えて用いることで、計測に関する操作および表示が容易になるのである。
【００３１】
携帯電話２においてインタフェース２２を介して生体情報計測装置１から取り込まれた血圧値はメモリ２５の記憶容量の範囲でメモリ２５に順に格納される。
メモリ２５には、無給電でも内容が保持でき、しかも内容が変更可能となるように、ＥＥＰＲＯＭを用いる。メモリ２５は複数種類の半導体メモリを組み合わせて構成してもよく、たとえば、メモリ２５の一部領域を携帯電話２の基本的な機能を決めるためのシステムプログラムを格納したＲＯＭとし、作業領域にはＲＡＭを用い、インタフェース２２と表示部２３と操作部２４との機能を含む携帯電話２の応用的な機能（本実施形態では、操作部２４の操作により生体情報計測装置１の計測手段１１を起動する機能と、生体情報計測装置１の計測手段１１による計測結果を表示部２３に表示する機能とを含む）を決めるプログラムを格納する領域および生体情報計測装置１で計測した血圧値を格納する領域をＥＥＰＲＯＭとしてもよい。さらに、メモリ２５は携帯電話２に対して一部を着脱可能に設けてもよい。メモリ２５の一部を着脱可能とする場合には、着脱する部分に応用的な機能を決めるプログラムを格納しておけばよい。あるいはまた、インタフェース２２およびマイクロコンピュータ２１ｆを介してメモリ２５にプログラムを格納するようにしてもよい。もっとも本実施形態では、メモリ２５に格納するプログラムを、アンテナ２１ｄで送受信する電波を媒体として転送する構成を採用しており、移動体電話網３１（図２参照）を仲介して接続されるインタネット上に設けたプログラムサーバ３３（図２参照）からプログラムが転送されるようにしてある。
【００３２】
すなわち、図２に示すように、携帯電話２は、移動体電話網３１を仲介してインタネット３２に接続することができ、インタネット３２上のプログラムサーバ３３にアクセス可能になっている。プログラムサーバ３３には生体情報計測装置１の仕様や携帯電話２の機種に応じたプログラムが格納されており、生体情報計測装置１の購入者が携帯電話２によってプログラムサーバ３３にアクセスすることによって、生体情報計測装置１の仕様および携帯電話２の機種に応じたプログラムをプログラムサーバ３３から携帯電話２のメモリ２５にダウンロードすることが可能になっている。
【００３３】
プログラムサーバ３３から携帯電話２へのプログラムのダウンロードにあたっては、図３に示すように、生体情報計測装置１（図では血圧計を例示している）を購入したときに（Ｓ１）、生体情報計測装置１に関連した各種サービスを受けようとする購入者は（Ｓ２）、生体情報計測装置１の取扱説明書に記載されたサイトにアクセスし（Ｓ３，Ｓ４，Ｓ１０）、携帯電話２の表示部２３に表示されるメニューに従って個人情報、生体情報計測装置１の機種、携帯電話２の機種などの情報を登録する（Ｓ５，Ｓ１１）。ここに、サイトにアクセスするにあたっては、携帯電話２の場合と、携帯電話２ではないパーソナルコンピュータやＰＤＡ（携帯端末）の場合とでは、表示部に表示可能な情報量やサービスの内容が異なるから、端末の種類に応じたサイトにアクセスすることになる。
【００３４】
インタネット３２上にはプログラムサーバ３３に連携する健康管理サーバ３４が設けられており、携帯電話２からサイトにアクセスし（Ｓ４）、個人情報などの登録を行うと（Ｓ５）、健康管理サーバ３４では、入力された個人情報を用いて、健康管理サーバ３４に設けたウェブページ作成手段３４ａにより携帯電話２から転送された個人情報別のウェブページ（以下、「個人ページ」と呼ぶ）を生成する（Ｓ６）。個人ページは登録された個人別に設定され、したがって１人が複数種類の生体情報を複数台の生体情報計測装置１で計測する場合には１つの個人ページにおいてすべての生体情報が管理される。一方、１台の生体情報計測装置１を複数人（たとえば、家族）で共用する場合には、各人の個人情報を登録することによって複数の個人ページを生成することになる。ここに、携帯電話２は一般に個人が所有しており家族といえども共用することを想定していないから、プログラムサーバ３３にアクセスした携帯電話２ごとに個人ページを生成すれば十分である。
【００３５】
個人情報の登録後には、携帯電話２のアプリケーションとしてのプログラムをプログラムサーバ３３からダウンロードするか否かの選択を行うように促される（Ｓ７）。プログラムのダウンロードを選択すれば、携帯電話２から入力された情報に基づいてプログラムサーバ３３において適切なプログラムが選択され、選択されたプログラムが携帯電話２にダウンロードされる（Ｓ８）。このようにして携帯電話２にはアプリケーションとしてのプログラムが設定される（Ｓ９）。
また、メモリ２５の差し替えや記録媒体からアプリケーションとしてのプログラムを設定する場合のように、プログラムのダウンロードが不要である場合には、ステップＳ７においてダウンロードを選択しなければよい。
【００３６】
なお、健康管理サーバ３４に接続する端末として携帯電話２を用いない場合には（Ｓ３，Ｓ４）、当該端末により個人情報や生体情報計測装置１の機種の登録を行うことによって（Ｓ１１）、個人ページが生成される（Ｓ１２）。ただし、この場合には生体情報計測装置１を携帯電話２に関連付けるためのプログラムはダウンロードされない。
【００３７】
健康管理サーバ３４はインタネット３２上に設けられているから、ウェブページ作成手段３４ａの作成した個人ページは、インタネットサービスを享受可能な携帯電話２に限らず、インタネットに接続可能な端末であればパーソナルコンピュータのほか携帯端末など各種の端末で閲覧可能になる。ただし、個人ページが許容された閲覧者以外に閲覧されるのを禁止するために、健康管理サーバ３４には閲覧者確認手段３４ｂを設けて、個人ページへのアクセスを制限してある。閲覧者確認手段３４ｂは、インタネット上のウェブページで採用されている周知技術を用いればよく、たとえばパスワードとＩＤとを入力することによってアクセスを制限する。このようなアクセスの制限を行うことにより、携帯電話２に対応付けた閲覧者、つまり携帯電話２を操作して個人ページを設定した閲覧者以外には個人ページの閲覧を禁止することができる。ここに、携帯電話２の番号通知機能を用いることによって健康管理サーバ３４にアクセスを行った個人を特定することも可能であるが、携帯電話２とは異なる端末からも健康管理サーバ３４にアクセスを可能とするために、アクセスの制限にパスワードとＩＤとの入力を行う様式を採用している。
【００３８】
上述のようにして個人ページを設定すると、健康管理サーバ３４に設けた生体情報データベース３４ｃでは、生体情報を個人に対応付けて（つまり、携帯電話２に対応付けて）蓄積することが可能になる。生体情報データベース３４ｃに蓄積された各個人別の生体情報の履歴は個人ページにおいて閲覧することが可能になる。履歴を閲覧する形式は生体情報を表す数値の一覧表としてもよいが、生体情報の履歴の変化傾向を容易に把握することができるように、グラフ表示とするのが望ましい。また、グラフ表示とすれば個人ページを表示できる画面の面積が比較的小さい場合でも履歴の表示が可能になる。つまり、携帯電話２の表示部２３の画面上でも生体情報の履歴を表示することが可能になる。もちろん、画面の面積が大きい他の端末を用いる場合には、生体情報の履歴を数値で表示することも可能であり、数値とグラフとの両方の表示を可能とすることも可能である。
【００３９】
上述したように、生体情報の履歴を健康管理サーバ３４に蓄積するから、生体情報計測装置１にメモリを搭載して生体情報の履歴を蓄積する場合や、携帯電話２のメモリ２５に生体情報の履歴を蓄積する場合に比較すると、生体情報の履歴を蓄積するために大きい記憶容量を確保しやすく、比較的長期間に亘る生体情報の変化を知ることが可能になる。また、生体情報計測装置１や携帯電話２に大容量メモリを用いる必要がなく低コストで提供することが可能になる。
【００４０】
ところで、健康管理サーバ３４はインタネット３２上に設けてあるから、健康管理サーバ３４に設けた生体情報データベース３４ｃに格納されている生体情報をインタネット３２上で専門家に見せることが可能である。そこで、健康管理サーバ３４には、専門家が保有するインタネット３２上の専門家端末３５に対して生体情報データベース３４ｃに格納された生体情報を転送可能とするために、データ転送手段３４ｄを設けてある。つまり、データ転送手段３４ｄは、個人ページの閲覧者が個人ページの中で希望することによって起動され、指定された個人ページに対応する生体情報の履歴を専門家端末３５において閲覧可能とする機能を有する。専門家端末３５に転送する生体情報の種類や範囲は、個人ページの中で指定することが可能であり、また個人ページの中で閲覧可能なすべての生体情報を専門家端末３５に転送することも可能になっている。
【００４１】
データ転送手段３４ｄが生体情報の履歴を転送する専門家は、健康管理サーバ３４の運営者が契約している専門家であって、生体情報の履歴に基づいて生活習慣病の発病の可能性に関する診断や生活習慣病の発病を回避するためのアドバイスを行うことができる個人または機関を意味する。ここで、専門家端末３５に転送する情報としては生体情報の履歴と当該履歴の識別情報とがあれば十分であるから、氏名などの個人情報については専門家端末３５に転送しないようにし、生体情報と生体情報の履歴の識別情報とだけを転送するようにしてもよい。この方法を採用すれば、インタネット３２で個人情報が不必要に転送されることなく情報の保全性が高くなる。
【００４２】
専門家端末３５が閲覧するウェブページでは、生体情報の履歴に基づく生活習慣病の発病の可能性に関する診断や生活習慣病の発病を回避するためのアドバイスの専門家による入力が可能であって、専門家が入力した診断結果やアドバイスは生体情報の履歴の識別情報とともに健康管理サーバ３４に返送される。データ転送手段３４ｄでは生体情報の履歴の識別情報を個人ページに対応付けてウェブページ作成手段に引き渡し、ウェブページ作成手段では当該個人ページに設定した所定欄に専門家による診断結果やアドバイスを呈示する。
【００４３】
以下では携帯電話２の操作をまとめて簡単に説明する。なお、上述した個人ページを生成するための個人情報の登録作業は終了しており、したがって生体情報計測装置１および携帯電話２に対応するプログラムがメモリ２５にダウンロードされているものとする。また、生体情報計測装置１の種類および携帯電話２の仕様に特化されたプログラムをアプリケーションと呼ぶ。携帯電話２の操作部２４にはアプリケーションを起動するスイッチが設けられており、生体情報計測装置１を用いて血圧値を測定する際には、図４に示すように、まずアプリケーションを起動するように操作する（Ｓ１）。この操作により携帯電話２の表示部２３にはメニュー画面が表示される（Ｓ２）。本実施形態ではメニュー画面に、「測定開始」、「測定結果表示」、「測定結果登録」、「個人ページ表示」、「終了」の５個の選択肢が表示される。これらの選択肢は携帯電話２に設けた操作部２４で選択することができる。携帯電話２ではカーソルキーと実行キーとを一体に備えたスイッチが設けられている場合が多いから、メニュー画面に表示された所望の選択肢を反転表示させるようにカーソルキーを操作し、所望の選択肢が反転表示された状態で実行キーを操作すれば、所望の選択肢を選択することができる。
あるいはまた、各選択肢に数字を対応付けておき、数字キーによって選択肢を選択するようにしてもよい。
【００４４】
「測定開始」は血圧の測定を開始させることを意味し、「測定結果表示」は計測した血圧値を表示部２３に表示させることを意味し、「測定結果登録」は計測した血圧値を個人ページに登録することを意味し、「個人ページ表示」は携帯電話２の表示部２３に個人ページを表示させることを意味し、「終了」はアプリケーションの終了を意味する。
【００４５】
使用者が生体情報計測装置１を身体に装着した状態で「測定開始」を選択すると、携帯電話２から生体情報計測装置１に対して計測の開始を指示する光ワイヤレス信号が送出される（Ｓ３）。この光ワイヤレス信号を受けた生体情報計測装置１は計測を開始し（Ｓ４）、最高血圧値および最低血圧値と脈拍とを計測する（Ｓ５）。計測が終了すると（Ｓ６）、生体情報計測装置１の表示部１３に計測値が表示されるとともに図示しないメモリ内に計測値が格納され、さらに計測の終了が携帯電話２に通知される（Ｓ７）。この時点では携帯電話２の表示部２３に計測値は表示されない。また、計測の終了が通知された携帯電話２では表示部２３の表示内容をメニュー画面に戻す（Ｓ８）。ここに、計測開始を指示してからメニュー画面に戻るまでの間には「計測中」などの表示を行うのが望ましい。
なお、生体情報計測装置１の操作部１４により計測開始を指示したときには、携帯電話２に計測の終了が通知されることはない。
【００４６】
生体情報計測装置１のメモリに計測値が格納されている状態で、携帯電話２のメニュー画面において「測定結果表示」を選択すると、生体情報計測装置１のメモリから携帯電話２のメモリ２５に計測値が転送され（Ｓ９）、携帯電話２の表示部２３に計測値が表示される（Ｓ１０）。生体情報計測装置１のメモリ内の計測値は携帯電話２に計測値を転送した後に自動的に消去される。携帯電話２の表示部２３に計測値を表示している状態において携帯電話２で計測値の表示を解除する操作を行うとメニュー画面に復帰する（Ｓ１１）。ここでは、押操作される電源スイッチが携帯電話２に設けられ、押操作の継続時間が一定時間を越えると電源のオンオフを行い、押操作の継続時間が一定時間未満であるときにメニュー画面に復帰するものとする。
【００４７】
なお、生体情報計測装置１において計測値を計測日時と対応付けて所定の計測回数分まで保持可能とし、携帯電話２では生体情報計測装置１から転送された計測値のうち、メモリ２５に格納された計測値とは計測日時が異なるもののみを選択してメモリ２５に格納するようにしてもよい。この構成を採用する場合、携帯電話２の表示部２３には複数回分の計測値を順に表示するかまたは一覧表示する。また、生体情報計測装置１において計測値の個数が保持可能な個数を越えるときには、古い計測値から順に消去され、生体情報計測装置１には新しいほうの複数個（保持可能な個数）の計測値が残される。
【００４８】
以上のように、携帯電話２の操作部２４により、生体情報計測装置１での計測を開始させる操作と、計測値を携帯電話２の表示部２３に表示させる操作とが可能であって、生体情報計測装置１の操作部１４の操作が困難な場合でも生体情報計測装置１とは分離された携帯電話２を用いることで計測に関する操作が容易になる。また、携帯電話２の表示部２３に計測値などが表示されるので、生体情報計測装置１の表示部１３の視認が困難な場合でも生体情報計測装置１とは分離された携帯電話２を用いることで計測に関する表示の視認が容易になる。
【００４９】
ところで、メニュー画面において「測定結果登録」を選択すると、健康管理サーバ３４へのアクセスが開始され、健康管理サーバ３４とのリンクが確立すると、個人ページと対応付けるための確認処理が行われる。その後、携帯電話２のメモリ２５に格納されている計測値が健康管理サーバ３４に転送される（Ｓ１２）。健康管理サーバ３４に転送された計測値は個人ページに対応付けて生体情報データベース３４ｃに格納される（Ｓ１３）。また、携帯電話２のメモリ２５に格納されている計測値は、健康管理サーバ３４への転送が成功した後に自動的に消去される。このような一連の処理が終了すると、メニュー画面に自動的に復帰する（Ｓ１４）。
【００５０】
メニュー画面において「個人ページ表示」を選択した場合には、健康管理サーバ３４へのアクセスが開始され、健康管理サーバ３４とのリンクが確立すると、個人ページと対応付けるための確認処理が行われる。確認処理が終了すると個人ページの閲覧が可能になり、個人ページにおいて呈示される情報に従って携帯電話２の操作部２４を操作すれば（Ｓ１５）、新しいほうの計測値が健康管理サーバ３４から所定個数分だけ携帯電話２に転送され（Ｓ１６）、携帯電話２の表示部２３において計測値の履歴が表示される（Ｓ１７）。計測値の履歴は数値を時系列で示してもよいが、計測値の履歴をグラフ化すれば、携帯電話２に付設された比較的小型の表示部２３を用いながらも、計測値の変化傾向の認識が容易になる。計測値の履歴が表示部２３に表示されている状態では、生体情報計測装置１での計測値を携帯電話２の表示部２３に表示した場合と同様に、計測値の履歴の表示を解除する操作を行うと、表示部２３の表示内容はメニュー画面に戻る（Ｓ１８）。
【００５１】
メニュー画面において「終了」を選択したときには、まず生体情報計測装置１の電源をオフにする指示を光ワイヤレス信号によって与え（Ｓ１８）、その後に携帯電話２におけるアプリケーションを終了する（Ｓ１９）。
【００５２】
上述の例では、生体情報計測装置１において最高血圧値および最低血圧値と脈拍とを計測する例を示したが、血圧値のみを計測する構成を採用してもよい。また、生体情報計測装置１としては図６のように腰付近に装着して歩数計として機能するものを用いてもよい。つまり、生体情報として歩数を検出する計測手段を設けてもよい。この場合、図示するように生体情報計測装置１を腰付近に装着した状態では、生体情報計測装置１が目から離れているために表示部１３が見にくく、また腰付近に位置していることによって操作部１４の操作が容易ではない。
そこで、携帯電話２による操作および表示を行うことによって、生体情報計測装置１を腰付近に装着しながらも操作が容易になり表示が見やすくなるのである。
なお、歩数計では測定開始を指示する必要がなく、計測値をリセットする機能があればよいから、歩数計に対応して携帯電話２に与えるアプリケーションでは携帯電話２の操作部２４の操作によってリセットを可能とする機能を設定しておく。
【００５３】
生体情報計測装置１としては、図７のように人が載ることによって生体情報としての体重を計測する体重計や、図８のように耳付近に装着することによって生体情報として脈拍を計測する脈拍測定装置を用いることも可能である。体重計では人が載ることが計測開始であり人が下りれば計測終了であるから、体重計に対応するアプリケーションでは計測開始を指示する必要がない。また、体重計（生体情報計測装置１）の表示部１３は比較的遠いから携帯電話２の表示部２３に計測値を表示することによって視認しやすくなる。一方、図示する脈拍測定装置は耳付近に装着されるから、生体情報計測装置１を操作したり表示を視認したりするためには耳から外さなければならない。これに対して、携帯電話２の表示部２３と操作部２４とを用いることによって、生体情報計測装置１の操作が容易になりまた生体情報計測装置１を耳から外すことなく計測値を確認することが可能になるのである。
【００５４】
生体情報計測装置１において計測する生体情報としては、測定可能な生体情報であればどのようなものでもよく、たとえば血糖値や体脂肪などでもよい。
【００５５】
なお、携帯電話２の基本的な機能である発呼および着呼とアプリケーションとに関して、発呼よりもアプリケーションを優先させ、アプリケーションよりも着呼を優先させる。言い換えると、アプリケーションの動作時には発呼はできないが着呼は可能になっている。
【００５６】
上述した構成例では生体情報計測装置１の操作および表示を携帯電話２により行う例について説明したが、生体情報計測装置１は表示部１３および操作部１４を備えるから、携帯電話２を用いることなく単独で使用することも可能であって、携帯電話２を所有しない場合でも生体情報計測装置１のみで生体情報を計測することが可能である。
【００５７】
【発明の効果】
請求項１の発明は生体情報計測装置であって、移動体電話機に設けた機器通信用のインタフェースとの間で双方向通信を可能とするインタフェースを備え、移動体電話機が備える操作部の操作により計測手段の動作を指示し、また計測手段による計測結果を移動体電話機が備える表示部に表示させるプログラムが移動体電話機にアプリケーションとして別途に設定されるので、生体情報計測装置に合わせて移動体電話機のアプリケーションとしてのプログラムを適宜に設定することによって、任意の複数台の生体情報計測装置で１台の移動体電話機を共用することが可能になる。つまり、移動体電話機は生体情報計測装置に専用化することなく汎用の移動体電話機を用いながらも、プログラムを適宜に設定することにより生体情報計測装置の操作および表示が可能になる。その結果、生体情報計測装置の操作および表示に移動体電話機を用いることを可能としながらも、生体情報計測装置の販売者は移動体電話機に組み込むアプリケーションとしてのプログラムを提供するだけで生体情報計測装置に適合する表示および操作を移動体電話機によって行うことが可能になり、移動体電話機を生体情報計測装置に特化して提供していた従来構成に比較すると低コストで提供することが可能になる。
【００５８】
請求項２の発明は生体情報計測装置であって、生体情報を計測する生体情報計測装置と計測に関する操作部および表示部を備える操作表示装置とが操作および計測の情報を相互に転送するインタフェースを備え、操作表示装置としてプログラムの変更が可能な移動体電話機を用いているから、生体情報計測装置に合わせて移動体電話機に設定するプログラムを適宜に設定することによって、任意の複数台の生体情報計測装置で１台の移動体電話機を共用することが可能になる。つまり、移動体電話機は生体情報計測装置に専用化することなく汎用の移動体電話機を用いながらも、プログラムを適宜に設定することにより生体情報計測装置の操作および表示が可能になる。その結果、生体情報計測装置の操作および表示に移動体電話機を用いることを可能としながらも、生体情報計測装置の販売者は移動体電話機に組み込むプログラムを提供するだけで生体情報計測装置に適合する表示および操作を移動体電話機によって行うことが可能になり、移動体電話機を生体情報計測装置に特化して提供していた従来構成に比較すると低コストで提供することが可能になる。
【００５９】
請求項３の発明は生体情報計測装置であって、移動体電話機とは移動体電話網を仲介して接続されるプログラムサーバから移動体電話機にプログラムを転送するから、生体情報計測装置に合わせて移動体電話機に設定するプログラムをプログラムサーバに登録しておくだけで生体情報計測装置に適合するプログラムを多数台の移動体電話機に配信することができ、移動体電話機ごとに生体情報計測装置に適合するプログラムを組み込んでいる従来構成に比較すると、プログラムの配布に手間がかからないという利点がある。
【００６０】
請求項４の発明は生体情報計測装置であって、生体情報計測装置が計測する生体情報が、血圧と脈拍と体脂肪と体重と歩数と血糖値とのうちの少なくとも１種類であって、この種の生体情報を管理することによって生活習慣病の対策が可能になる。
【００６１】
請求項５の発明は生体情報計測装置であって、インタフェースにより光ワイヤレス信号を送受信するから、生体情報計測装置と移動体電話機との間を有線で接続する場合のようにケーブルが邪魔になることがなく、またケーブルの抜き差しも不要であって、使い勝手がよいという利点がある。
【００６２】
請求項６の発明は生体情報計測システムであって、生体情報を計測する生体情報計測装置との間で双方向通信が可能な移動体電話機を用いて計測に関する操作および表示を可能とし、生体情報計測装置に関連付けるために移動体電話機に設定されるプログラムを移動体電話機に転送するプログラムサーバを設けているので、移動体電話機に組み込むプログラムを変更することによって種々の生体情報計測装置に適合させることができ、生体情報を計測する生体情報計測装置を移動体電話機と任意に組み合わせることにより複数台の生体情報計測装置で１台の移動体電話機の共用が可能になる。しかも、移動体電話機とは移動体電話網を仲介して接続されるプログラムサーバから移動体電話機にプログラムを転送するから、生体情報計測装置に合わせて移動体電話機に設定するプログラムをプログラムサーバに登録しておくだけで生体情報計測装置に適合するプログラムを多数台の移動体電話機に配信することができ、移動体電話機ごとに生体情報計測装置に適合するプログラムを組み込んでいる従来構成に比較すると、プログラムの配布に手間がかからないという利点がある。
【００６３】
請求項７の発明は生体情報計測システムであって、移動体電話機が生体情報計測装置から取得した生体情報が転送される健康管理サーバをウェブ上に備え、健康管理サーバは移動体電話機から転送された生体情報を移動体電話機に対応付けて個別に蓄積する生体情報データベースを備えているので、計測した生体情報を生体情報データベースに格納することによって、比較的長期に亘って生体情報を蓄積することが可能であり、生活習慣病に対処するための生体情報の履歴を管理することができる。
【００６４】
請求項８の発明は生体情報計測システムであって、健康管理サーバにおいて生体情報データベースに蓄積された生体情報の履歴をウェブ上で閲覧可能とし、かつ移動体電話機に対応付けた閲覧者以外には閲覧を禁止するようにしているから、移動体電話機によって生体情報の履歴を確認することができるのはもちろんのこと、ウェブページの閲覧が可能な端末であればパーソナルコンピュータや携帯端末のような他の端末であっても生体情報の履歴を確認することが可能になる。
しかも、生体情報の履歴は移動体電話機に対応付けられた閲覧者しか閲覧することができないから、個人情報が流出する可能性を低減することができる。
【００６５】
請求項９の発明は生体情報計測システムであって、生体情報の履歴を移動体電話機の表示部にグラフ表示するから、生体情報の変化傾向を容易に把握することができ健康管理がしやすくなる。
【００６６】
請求項１０の発明は生体情報計測システムであって、生体情報データベースに蓄積された生体情報の履歴を専門家が保有する専門家端末に転送するとともに、生体情報の履歴に対して専門家端末から入力された専門家によるアドバイスを生体情報の履歴とともにウェブページに呈示するから、計測した生体情報に基づいて専門家によるアドバイスを受けることができ、診療機関に出向くことなく生活習慣病などに対する健康管理のアドバイスを受けることができる。
【００６７】
請求項１１の発明は生体情報計測方法であって、生体情報計測装置に適合するプログラムがプログラムサーバから移動体電話機に転送された後、移動体電話機の操作部および表示部を用いて生体情報計測装置による生体情報の計測の指示および計測結果の表示を行い、移動体電話機から健康管理サーバに計測結果を転送して生体情報データベースに生体情報を蓄積するのであって、生体情報計測装置の操作および表示を移動体電話機で行うから、生体情報計測装置を装着している場所にかかわらず移動体電話機で操作と表示とを行うことにより操作が容易になり表示内容の視認が容易になる。しかも、生体情報計測装置に適合したプログラムがプログラムサーバから移動体電話機に転送されるから、汎用の移動体電話機を用いて種々の仕様の生体情報計測装置に適合させることができ、１台の移動体電話機を複数種類の生体情報計測装置で共用することが可能になる。その上、生体情報計測装置の販売者はプログラムをプログラムサーバに設定するだけで各移動体電話機に個々にプログラムを組み込む必要がないから、プログラムの仕様変更などが容易になる。加えて、計測した生体情報は生体情報データベースに蓄積されるから、比較的長期間に亘る生体情報を蓄積することができ、生体情報の履歴などを用いて生活習慣病の対策に利用することができる。
【００６８】
請求項１２はサーバであって、移動体電話機に移動体電話網を介してプログラムを転送するから、生体情報計測装置に適合するプログラムを移動体電話機に設定するに際して個々の移動体電話機を回収してプログラムの設定を行う必要がなく、生体情報計測装置に応じたプログラムを移動体電話機に容易に設定することができる。また、プログラムの仕様変更や改訂にも容易に対応することができる。
【００６９】
請求項１３の発明はサーバであって、生体情報計測装置から取得した生体情報を蓄積する生体情報データベースを備えるとともに、生体情報データベースに蓄積された生体情報の履歴をウェブ上で閲覧可能とするウェブページを設定するウェブページ作成手段と、各ウェブページの閲覧を移動体電話機に対応付けた閲覧者以外には禁止する閲覧者確認手段とを備えるので、移動体電話機によって生体情報の履歴を確認することができるのはもちろんのこと、ウェブページの閲覧が可能な端末であればパーソナルコンピュータや携帯端末のような他の端末であっても生体情報の履歴を確認することが可能になる。しかも、生体情報の履歴は移動体電話機に対応付けられた閲覧者しか閲覧することができないから、個人情報が流出する可能性を低減することができる。
【００７０】
請求項１４の発明はサーバであって、移動体電話機に移動体電話網を介してプログラムを転送するから、生体情報計測装置に適合するプログラムを移動体電話機に設定するに際して個々の移動体電話機を回収してプログラムの設定を行う必要がなく、生体情報計測装置に応じたプログラムを移動体電話機に容易に設定することができる。また、プログラムの仕様変更や改訂にも容易に対応することができる。また、生体情報計測装置から取得した生体情報を蓄積する生体情報データベースを備えるとともに、生体情報データベースに蓄積された生体情報の履歴をウェブ上で閲覧可能とするウェブページを設定するウェブページ作成手段と、各ウェブページの閲覧を移動体電話機に対応付けた閲覧者以外には禁止する閲覧者確認手段とを備えるので、移動体電話機によって生体情報の履歴を確認することができるのはもちろんのこと、ウェブページの閲覧が可能な端末であればパーソナルコンピュータや携帯端末のような他の端末であっても生体情報の履歴を確認することが可能になる。しかも、生体情報の履歴は移動体電話機に対応付けられた閲覧者しか閲覧することができないから、個人情報が流出する可能性を低減することができる。
【図面の簡単な説明】
【図１】本発明の実施の形態を示すブロック図である。
【図２】同上のシステム構成を示す図である。
【図３】同上の使用例を示す流れ図である。
【図４】同上の動作説明図である。
【図５】同上の使用例を示す概略図である。
【図６】同上の他の使用例を示す概略図である。
【図７】同上のさらに他の使用例を示す概略図である。
【図８】同上の別の使用例を示す概略図である。
【符号の説明】
１  生体情報計測装置
２  携帯電話
１１  計測手段
１２  インタフェース
１３  表示部
１４  操作部
２２  インタフェース
２３  表示部
２４  操作部
２５  メモリ
３１  移動体電話網
３２  インタネット
３３  プログラムサーバ
３４  健康管理サーバ
３４ａ  ウェブページ作成手段
３４ｂ  閲覧者確認手段
３４ｃ  生体情報データベース
３４ｄ  データ転送手段
３５  専門家端末
【図１】
2004147705.tif 000003
【図２】
2004147705.tif 000004
【図３】
2004147705.tif 000005
【図４】
2004147705.tif 000006
【図５】
2004147705.tif 000007
【図６】
2004147705.tif 000008
【図７】
2004147705.tif 000009
【図８】
2004147705.tif 000010